(57)【要約】【課題】Ｘ線撮像用のＸ線撮像素子の電源を逐次、供給することにより、インターフェースケーブルをなくしＸ線撮像素子の位置あわせをフレキシブルに行うこと。【解決手段】被検部に向けてＸ線を照射するＸ線照射部と、Ｘ線照射部から照射されて被検部を透過したＸ線を検出し画像情報を記録するＸ線画像記録部とを備え、Ｘ線画像記録部から得られた被検部の画像情報を用いて診断画像を形成するＸ線撮影装置において、電磁的作用により磁束を発生する磁束発生部と、Ｘ線画像記録部に設けられ、磁束発生部より発生した磁束を検出する磁束検出部とを備え、磁束検出部で発生した起電力をＸ線画像記録部の電源として利用することによりＸ線撮像用のＸ線撮像素子３に対して電力供給ができる。またインターフェースケーブルをなくすことができる。【選択図】図１
2006346065.tif 000002
【特許請求の範囲】
【請求項１】
被検部に向けてＸ線を照射するＸ線照射部と、前記Ｘ線照射部から照射されて被検部を透過したＸ線を検出し画像情報を記録するＸ線画像記録部とを備え、前記Ｘ線画像記録部から得られた被検部の画像情報を用いて診断画像を形成するＸ線撮影装置において、
電磁的作用により磁束を発生する磁束発生部と、
前記Ｘ線画像記録部に設けられ、前記磁束発生部より発生した磁束を検出する磁束検出部と、を備え、
前記磁束検出部で発生した起電力を前記Ｘ線画像記録部の電源として利用することを特徴とするＸ線撮影装置。
【請求項２】
前記磁束検出部で発生した起電力を前記Ｘ線画像記録部の電源として蓄える電力蓄積部をさらに備えたことを特徴とする請求項１に記載のＸ線撮影装置。
【請求項３】
前記磁束発生部は、前記磁束発生部の発射口の中心が前記Ｘ線照射部の照射口の中心と一致するように設け、前記磁束検出部は、前記Ｘ線画像記録部の中心に対して点対称の位置に設けたことを特徴とする請求項１または２に記載のＸ線撮影装置。
【請求項４】
前記磁束Ｘ線画像記録部の中心に対して点対称の位置に複数個設けた前記磁束検出部とは独立して、前記Ｘ線画像記録部の電源に使用される電力を発生する電源用磁束検出部を設けたことを特徴とする請求項１から３のいずれかに記載のＸ線撮影装置。
【請求項５】
前記複数の磁束検出部から得られた起電力を比較することにより前記Ｘ線照射部と前記Ｘ線画像記録部の中心位置の一致情報を取得する比較部と、比較部で得られた中心位置の一致情報を送信する送信部と、前記送信部から受信した一致情報を受信する受信部をさらに備えたことを特徴とする請求項１から４のいずれかに記載のＸ線撮影装置。
【請求項６】
前記受信部で受信した一致情報を表示する表示部をさらに備えたことを特徴とする請求項５に記載のＸ線撮影装置。
【発明の詳細な説明】
【技術分野】
【０００１】
本発明は、被検査者の歯牙などをＸ線撮影して診断を行うＸ線撮影装置に関する。
【背景技術】
【０００２】
歯牙の診断を行う際にその状態を観察する装置として、Ｘ線画像を受像するＸ線撮像素子を、Ｘ線照射側と相対向する位置、すなわち撮影する歯牙部位の裏側に位置させた状態で、Ｘ線照射を行うことにより、歯牙を透過するＸ線画像をＸ線撮像素子に受像させ、その信号により画像化してモニタ上の歯牙の画像を観察しながら診断を行うＸ線撮影装置が知られている。
【０００３】
診断の際にＸ線撮像素子を確実に露光するため、Ｘ線の照射スポットをＸ線撮像素子面積の数倍の領域まで照射する必要がある。被検者は多くのＸ線の被爆を受けることになるので、従来のＸ線撮影装置においては、Ｘ線画像を受像するためのＸ線撮像素子は、該Ｘ線撮像素子をＸ線照射方向に相対向して、ほぼ垂直の状態で正確な位置に保持することが要求される。
【０００４】
従来の歯科用Ｘ線撮影装置は、図１１に示すようにＸ線撮像素子２３を保持するホルダ２４を備え、Ｘ線発生装置の照射コーン２１先端部に、中央部分にＸ線を透過させるための開口部を有する取り付けブラケット２２を設けている。さらに、取り付けブラケット２２にはガイド２６が設けられ、このガイド２６にＸ線撮像素子２３を保持するホルダ２４が取り付けられほぼ９０°に折曲したスライドバー２５が摺動可能に取り付けられており、Ｘ線画像を受像する際に、常にＸ線照射方向に相対向して、Ｘ線画像がＸ線撮像素子２３に対して垂直に照射されるにようにしている。
【０００５】
さらに、Ｘ線撮像素子を構成するＣＣＤの電源を供給するためにインターフェースケーブル２７を、Ｘ線撮像素子２３に接続していた。
【０００６】
以上のように構成した本考案の歯科用Ｘ線撮影装置におけるＸ線撮像素子２３のホルダ２４は、Ｘ線発生装置の照射コーン先端部に摺動可能に設けられるスライドバー２５の先端部に取り付けられているため、Ｘ線画像診断を行う際、Ｘ線発生装置の照射コーンからのＸ線照射は、Ｘ線撮像素子２３に対して常に垂直に照射されるようになり、Ｘ線撮像素子２３に正確に受像されるため受像精度が高くなり、被検者は多くのＸ線の被爆を受けることなく診断を受けることができる。（例えば、特許文献１参照）。
【特許文献１】登録実用新案第３００４００１号公報（第1−２頁、第１図）
【発明の開示】
【発明が解決しようとする課題】
【０００７】
しかしながら、従来のＸ線撮影装置においては、Ｘ線画像記録部に駆動用の電源を供給するためや、Ｘ線画像記録部からの画像信号を送信するインターフェースケーブルが必要で、Ｘ線画像記録部は完全に自由な状態ではなかった。またＸ線開口部の取り付けブラケットおよびブラケットと一体形成されたＸ線画像記録部の保持ホルダを有しており、検査する歯牙の位置によってはブラケットと被検者の口腔部の干渉によりブラケットに固定されたＸ線画像記録部の位置を適切に選択することが困難な場合があり、精度の良い検査ができないという課題があった。
【０００８】
本発明は、このような従来の問題を解決するためになされたもので、Ｘ線画像素子への電源供給のためのインターフェースケーブルを用いることなく、インターフェースケーブルが邪魔にならないＸ線撮影装置を提供することを第一の目的とする。そして、位置決め用の取り付けブラケットを用いることなく、Ｘ線照射部とセンサの位置決めを自由な位置で精度よく検査を行うことが可能なＸ線撮影装置を提供することを第二の目的としたものである。
【課題を解決するための手段】
【０００９】
本発明のＸ線撮影装置は、被検部に向けてＸ線を照射するＸ線照射部と、Ｘ線照射部から照射されて被検部を透過したＸ線を検出し画像情報を記録するＸ線画像記録部とを備え、Ｘ線画像記録部から得られた被検部の画像情報を用いて診断画像を形成するＸ線撮影装置において、Ｘ線照射部に設けられ、電磁的作用により磁束を発生する磁束発生部と、Ｘ線画像記録部のＸ線検出面と反対の面に設けられ、磁束発生部より発生した磁束を検出する磁束検出部とを備え、磁束検出部で発生した起電力をＸ線画像記録部の電源として利用する。
【００１０】
この構成により、磁束検出部で発生した起電力をＸ線画像記録部の電源として利用できるので、Ｘ線画像記録部への電源供給の必要がなくなりＸ線撮影装置本体とＸ線画像記録部とのインターフェースケーブルをなくすことができる。
【００１１】
また、本発明のＸ線撮影装置は、磁束検出部で発生した起電力をＸ線画像記録部の電源として蓄える電力蓄積部をさらに備える。
【００１２】
この構成により、磁束検出部で発生した電力を蓄積しておくことができ、蓄積した電力を必要なときに有効に活用することができる。
【００１３】
また、本発明のＸ線撮影装置では、磁束発生部は磁束発生部の発射口の中心がＸ線照射部の照射口の中心と一致するように設け、磁束検出部はＸ線画像記録部の中心に対して点対称の位置に設ける。
【００１４】
この構成により、各磁束検出部で発生した電力をＸ線画像記録部の電源として活用するとともに、各磁束検出部を通過する磁束により発生する起電力がほぼ同じ強度になるポイントを見つけることができ、被検者に身体的負担をかけることなくフレキシブルにＸ線画像記録部の位置決めすることができる。
【００１５】
また、本発明のＸ線撮影装置は、磁束Ｘ線画像記録部の中心に対して点対称の位置に複数個設けた磁束検出部とは独立して、Ｘ線画像記録部の電源に使用される起電力を発生する電源用磁束検出部を設ける。
【００１６】
この構成により、位置合わせ用の磁束検出部の形状にとらわれず、電源用磁束検出部の形状を自由に設定することができ、効率的に電力の蓄積を行うことができる。
【００１７】
また、本発明のＸ線撮影装置は、複数の磁束検出部から得られた起電力を比較することによりＸ線照射部とＸ線画像記録部の中心位置の一致情報を取得する比較部と、比較部で得られた中心位置の一致情報を送信する送信部と、送信部から受信した一致情報を受信する受信部をさらに備える。
【００１８】
この構成により、電源供給に加え、Ｘ線画像記録部の位置情報も無線で送受信することができる。
【００１９】
また、本発明のＸ線撮影装置は、受信部で受信した一致情報を表示する表示部をさらに備える。
【００２０】
この構成により、Ｘ線画像記録部の位置あわせの状態を視覚により確認することができる。
【発明の効果】
【００２１】
電磁的作用により磁束を発生する磁束発生部と、Ｘ線画像記録部のＸ線検出面と反対の面に設けられ、前記磁束発生部より発生した磁束を検出する磁束検出部とを備え、磁束検出部で発生した起電力を前記Ｘ線画像記録部の電源として利用するので、Ｘ線画像記録部への電源供給の必要がなくなりＸ線撮影装置本体とＸ線画像記録部との間のインターフェースケーブルをなくすことができる。また、Ｘ線照射部とＸ線画像記録部との位置関係を精度よく位置決めすることができる。
【発明を実施するための最良の形態】
【００２２】
以下、本発明の実施の形態のＸ線撮影装置について、図面を用いて説明する。
【００２３】
（実施の形態１）
図１は、本発明の実施の形態１におけるＸ線撮影装置の構成を示す図である。
【００２４】
図１において、本実施の形態のＸ線撮影装置は、被検部に向けてＸ線を照射するＸ線照射筒１と、Ｘ線照射筒１から照射されて被検部を透過したＸ線を検出し画像情報を記録するＸ線画像記録部としてＸ線撮像素子３とを備え、Ｘ線撮像素子３から得られた被検部の画像情報を用いて診断画像を形成する。Ｘ線照射筒１には、電磁的作用により磁束を発生する磁束発生コイル２がＸ線照射筒１の中心と磁束発生コイル２の中心が一致するようにＸ線照射筒１の周囲に磁束発生コイル２を設けている。磁束発生コイル２は交流電源１０に接続されており、交流電源１０から供給される交流電流により磁界が発生する。また、Ｘ線撮像素子３のＸ線検出面の反対面上には、Ｘ線撮像素子３の中心に対して点対称の位置に磁束検出コイル４とＸ線撮像素子電源用コイル１１を設けている。
【００２５】
Ｘ線画像記録部として用いられるＸ線撮像素子３は、蛍光塗料とＣＣＤセンサを組み合わせた画像センサや、輝尽性蛍光体を用いたイメージングプレートなどのようなデジタル画像を撮影するものなどで構成される。
【００２６】
図２は、本発明の実施の形態１におけるＸ線撮影装置の回路構成を示す図である。
【００２７】
図２においてＸ線撮像素子３上に設けられた３つの磁束検出コイル４とＸ線撮像素子電源用コイル１１はそれぞれ整流回路６と整流回路１５に接続されている。整流回路１５の出力は電力蓄積回路１２に接続され、コイルで発生した起電力を蓄積する。また、整流回路６の出力は比較回路７に接続され、比較回路７では各整流回路の入力電圧を比較して、一致した場合と不一致のそれぞれの場合に応じた出力電圧を出力する。送信回路１３は比較回路７から受け取った出力電圧を一致、不一致を示す送信信号に変換し送信する。受信回路は送信信号を受信して表示部８に伝達する。表示部８は比較回路７の出力に応じて、一致した場合には青色を表示し、不一致の場合には赤色を表示する。
【００２８】
以上のように構成されたＸ線撮影装置において、図２と図３を参照しながら本構成のＸ線撮影装置の電力蓄積回路１２への電力蓄積方法、およびＸ線照射筒１とＸ線撮像素子３の位置合わせの方法について説明する。
【００２９】
図３は、Ｘ線撮像素子３における磁束検出コイル４の配置を示した図である。図３に示すように磁束検出コイル４はＸ線撮像素子３の中心に対して点対称となるように３個の磁束検出コイルが配置される。
【００３０】
図４は、Ｘ線照射筒１の中心に対してＸ線撮像素子３の中心が下方向にずれている場合の検出部を通過する磁束の様子を示した図である。図４の状態のように３つの磁束検出コイル４を通過する磁束の数が均等でない場合には、それぞれの磁束検出コイル４で発生する起電力を整流回路６で整流された電圧が比較回路７で判定され、送信回路１３から送信される。受信回路１４は不一致を示す判定信号を受信し、判定信号が表示部８に伝達されて表示部８において不一致を示す赤色が表示される。ここでＸ線撮影装置の表示部８の赤色表示が操作者に示されるので、操作者は表示部の点灯色を確認しながらＸ線撮像素子３を移動させる。
【００３１】
図５は、Ｘ線撮像素子３を移動させることにより、Ｘ線照射筒１とＸ線撮像素子３の中心が一致した場合の磁束検出コイル４を通過する磁束の様子を示した図である。図５の状態のように３つのコイルを通過する磁束の数が均等である場合には、それぞれの磁束検出コイル４で発生する起電力を整流回路６で整流した電圧が比較回路７で判定され、送信回路１３から送信される。受信回路１４は一致を示す判定信号を受信し、判定信号が表示部８に送信され表示部８において一致を示す青色が表示される。
【００３２】
図４、図５に示すように位置決め作業をしている間、および診断中に、Ｘ線撮像素子電源用コイル１１にはＸ線照射筒１に設けられた磁束発生コイル２で発生した磁束はＸ線撮像素子電源用コイル１１を通過している。この磁束によりＸ線撮像素子電源用コイル１１に発生した起電力は整流回路６にて整流されて電力蓄積回路１２に逐次蓄えられる。電力蓄積回路１２は、使用する前にあらかじめ充電されたリチウムイオン電池などの充電可能な電池に対してＸ線装置の使用中も充電される。
【００３３】
以上のような本実施の形態１のＸ線撮影装置によれば、診断中に電池切れが発生することなく安定した動作が可能になる。また、本実施の形態１のＸ線撮影装置によれば、Ｘ線撮影装置本体とＸ線画像記録部とのインターフェースケーブルをなくすことができ、被検者に身体的負担をかけることなくフレキシブルに位置決めをすることができる。これにより、照射装置の照射口には鉛などで必要なスポット形状まで絞りを挿入することにより被爆量を低減することができる。
【００３４】
また、本実施の形態における磁束は交流磁束であり、磁束検出コイルに発生する磁束と磁束発生コイルから発生した磁束が打ち消しあうことによりＸ画像形成にかかわるＸ線撮像素子内の電子の動きに影響を与えないので、画質の良いＸ線画像を提供することができる。
【００３５】
なお、本実施の形態における電力蓄積部は、充電可能な電池を例にとって説明したが、電池に限らず大きな容量を有するコンデンサでもよい。
【００３６】
また、電力を蓄積しなくてもコイルから発生する起電力でＸ線撮像素子の電源がまかなえる場合には電力蓄積部を設ける必要はない。
【００３７】
（実施の形態２）
本発明の実施の形態２においては、Ｘ線照射筒１、磁束発生コイル２、Ｘ線撮像素子３、交流電源１０の配置は本発明の実施の形態１にかかるＸ線撮影装置と同様とする。また、磁束検出コイル４とＸ線撮像素子電源用コイル１１のＸ線撮像素子上の配置も本発明の実施の形態１と同様である。
【００３８】
図６は、本発明の実施の形態２におけるＸ線撮影装置の回路構成を示す図である。
図６において、整流回路６の出力が比較回路７に接続されるとともに、電力蓄積回路１２に接続されている構成が本発明の実施の形態１にかかるＸ線撮影装置と異なる。このように本発明の実施の形態２においては、磁束検出コイル４とＸ線撮像素子電源用コイル１１の両方で発生した起電力を蓄積する構成となっている。
【００３９】
以上のように構成されたＸ線撮影装置における、Ｘ線照射筒１とＸ線撮像素子３の位置合わせは実施の形態１と同様に行う。位置決め作業をしている間および診断中には、磁束検出コイル４とＸ線撮像素子電源用コイル１１で発生した起電力は整流回路６にて整流されて電力蓄積回路１２に蓄えられる。本実施の形態においては、磁束検出コイル４で発生した電力も電力蓄積回路１２蓄えられるので、本発明の実施の形態１に比べより多くの充電をすることができ、診断中に電池切れが発生することなく安定した動作が可能になる。
【００４０】
本実施の形態２のＸ線撮影装置によれば、Ｘ線撮影装置本体とＸ線画像記録部とのインターフェースケーブルをなくすことができ、被検者に身体的負担をかけることなくフレキシブルに位置決めをすることができる。また、照射装置の照射口には鉛などで必要なスポット形状まで絞りを挿入することにより被爆量を低減することができる。
【００４１】
（実施の形態３）
図７は、本発明の実施の形態２におけるＸ線撮影装置のＸ線撮像素子３における磁束検出コイル４の配置を示した図である。図７に示すように磁束検出コイル４はＸ線撮像素子３の中心に対して点対称となる４個の検出部が配置される。また、４つのコイルの形状はＸ線撮像素子３と同様の形状として、コイルの有効面積がＸ線撮像素子３の面積において最大となるように配置している。
また、図８は本発明の実施の形態３におけるＸ線撮影装置の回路構成を示す図である。
【００４２】
図８においてＸ線撮像素子３上に設けられた３つの磁束検出コイル５はそれぞれ整流回路６に接続されている。整流回路６の出力は電力蓄積回路１２に接続され、コイルで発生した起電力を蓄積する。また、整流回路６の出力は比較回路７に接続され、比較回路７では各整流回路の入力電圧を比較して、一致した場合と不一致のそれぞれの場合に応じた出力電圧を出力する。送信回路１３は比較回路７から受け取った出力電圧を一致、不一致を示す送信信号に変換し送信する。受信回路１４は送信信号を受信して表示部８に伝達する。表示部８は比較回路７の出力に応じて、一致した場合には青色を表示し、不一致の場合には赤色を表示する。
【００４３】
なお、Ｘ線撮影装置のＸ線照射筒１とＸ線撮像素子３の関係は、図１に示す実施の形態１と同様である。
【００４４】
以上のように構成されたＸ線撮影装置において、図９と図１０を参照しながら本構成のＸ線撮影装置の電力蓄積部への電力蓄積方法、およびＸ線照射筒１とＸ線撮像素子３の位置合わせの方法について説明する。
【００４５】
図９は、Ｘ線照射筒１の中心に対してＸ線撮像素子３の中心が下方向にずれている場合の検出部を通過する磁束の様子を示した図である。図７の状態のように４つのコイルを通過する磁束の数が均等でない場合には、それぞれの磁束検出コイル４で発生する起電力を整流回路６で整流された電圧が比較回路７で判定され、不一致を示す判定信号が表示部８に送信され不一致を示す赤色が表示される。ここでＸ線撮影装置の操作者に示されるので、操作者は表示部を確認しながらＸ線撮像素子３を移動させる。
【００４６】
図１０は、Ｘ線撮像素子３を移動させることにより、Ｘ線照射筒１とＸ線撮像素子３の中心が一致した場合の検出部４を通過する磁束の様子を示した図である。図８の状態のように３つのコイルを通過する磁束の数が均等である場合には、それぞれの磁束検出コイル４で発生する起電力を整流回路６で整流した電圧が比較回路７で判定され、一致を示す判定信号が表示部８に送信され一致を示す青色が表示される。
【００４７】
図９、図１０に示すように位置決め作業をしている間および診断中に、Ｘ線照射筒１に設けられた磁束発生コイル２で発生した磁束は4つの磁束検出コイル５を通過している。これにより磁束検出コイル５に発生した起電力は整流回路６にて整流されて電力蓄積回路１２に逐次蓄えられる。電力蓄積回路１２は、リチウムイオン電池などの充電可能な電池を備えており使用する前にあらかじめ充電をしておくが、Ｘ線装置の使用中も充電される。
【００４８】
以上のような本実施の形態２のＸ線撮影装置によれば、Ｘ線撮像素子３の面積において最大となるように配置できるので、Ｘ線撮像素子電源用コイルを磁束検出コイルとは別に設けない場合であっても磁束発生コイルから発生するより磁束をＸ線撮像素子の領域内で最も多く検出することができ、より多くの電力を蓄積することができる。また、位置合わせにおいて精度の良い検出が可能になる。これにより被検者に身体的負担をかけることなくフレキシブルにＸ線照射筒１とＸ線撮像素子３の位置決めすることができる。
【産業上の利用可能性】
【００４９】
以上のように、本発明にかかるＸ線撮影装置は、磁束検出部で発生した起電力をＸ線画像記録部の電源として利用できるので、Ｘ線撮像素子の電源を逐次して供給して、電池切れによる画像劣化がない安定した性能のＸ線撮影ができる。またＸ線撮像素子に対して安定した電力供給ができるのでＸ線撮影装置本体とＸ線画像記録部とのＸ線撮像素子の電源供給用インターフェースケーブルをなくすことができ、被検者に身体的負担をかけることなくフレキシブルに位置決めをすることができる。また、照射装置の照射口には鉛などで必要なスポット形状まで絞りを挿入することにより被爆量を低減することができるのでＸ線撮影装置として有用である。
【図面の簡単な説明】
【００５０】
【図１】本発明の実施の形態１におけるＸ線撮影装置の構成を示す図
【図２】本発明の実施の形態１におけるＸ線撮影装置の回路構成を示す図
【図３】本発明の実施の形態１におけるＸ線撮像素子上の磁束検出コイルの配置を示した図
【図４】本発明の実施の形態１におけるＸ線照射筒の中心に対してＸ線撮像素子の中心が下方向にずれている場合の検出部を通過する磁束の様子を示した図
【図５】本発明の実施の形態１におけるＸ線照射筒とＸ線撮像素子の中心が一致した場合の検出部を通過する磁束の様子を示した図
【図６】本発明の実施の形態２におけるＸ線撮影装置の回路構成を示す図
【図７】本発明の実施の形態３におけるＸ線撮像素子上の磁束検出コイルの配置を示した図
【図８】本発明の実施の形態３におけるＸ線撮影装置の回路構成を示す図
【図９】本発明の実施の形態３におけるＸ線照射筒の中心に対してＸ線撮像素子の中心が下方向にずれている場合の検出部を通過する磁束の様子を示した図
【図１０】本発明の実施の形態３におけるＸ線照射筒とＸ線撮像素子の中心が一致した場合の検出部を通過する磁束の様子を示した図
【図１１】従来のＸ線撮影装置の構成を示す図
【符号の説明】
【００５１】
１    Ｘ線照射筒
２    磁束発生コイル
３    Ｘ線撮像素子
４    磁束検出コイル
５    磁束検出コイル
６    整流回路
７    比較回路
８    表示部
９    Ｘ線発生装置
１０    交流電源
１１    Ｘ線撮像素子電源用コイル
１２    電力蓄積回路
１３    送信回路
１４    受信回路
１５    整流回路
２２    取り付けブラケット
２３    Ｘ線撮像素子
２４    ホルダ
２５    スライドバー
２６    ガイド
２７    インターフェースケーブル
【図１】
2006346065.tif 000003
【図２】
2006346065.tif 000004
【図３】
2006346065.tif 000005
【図４】
2006346065.tif 000006
【図５】
2006346065.tif 000007
【図６】
2006346065.tif 000008
【図７】
2006346065.tif 000009
【図８】
2006346065.tif 000010
【図９】
2006346065.tif 000011
【図１０】
2006346065.tif 000012
【図１１】
2006346065.tif 000013